(57)【要約】【課題】  本発明は、大容量のデータを保存することなく、受信側の装置における転送データの無線通信の不良に基づくデータ欠落の発生を抑制することが可能な送信方法、受信方法、送信装置及び受信装置を提供する。【解決手段】  送信装置１０にて、入力された動画情報から基本動画から圧縮処理した高圧縮動画情報と、圧縮処理を施さない基本動画情報とを生成し、高圧縮動画情報を無線送信した後に、同じ動画情報から生成された基本動画情報を無線送信する。受信装置２０においては、基本動画情報に先駆けて送信されてくる高圧縮動画情報を保存しておき、後で受信されるる縮縮う２２４は、図示せぬれたの受信装置１と記録装置２の設置位置基本動画情報が正常に受信されなかった場合には、先に保存しておいた高圧縮動画情報を再生する。【選択図】  図２
2005110043.tif 000002
【特許請求の範囲】
【請求項１】
無線で接続された外部装置に対してデータを送信する送信装置における送信方法において
、
送信するデータに対して第１の圧縮率を有する第１の送信データを生成するステップと
、
この生成ステップによって生成される上記第１の送信データと同じ上記送信するデータ
に対して上記第１の圧縮率よりも低い第２の圧縮率を有する第２の送信データを生成する
ステップと、
上記第１の生成ステップで生成された第１の送信データを無線で送信するステップと、
この送信ステップによって上記第１の送信データが送信された後に、上記第２の生成ス
テップで生成された第２の送信データを無線で送信するステップと、
を有することを特徴とする送信方法。
【請求項２】
無線で接続された外部装置から送信されるデータを受信する受信装置における受信方法お
いて、
無線で送信された第１の圧縮率を有する第１のデータを受信するステップと、
この受信ステップによって受信された上記第１のデータをメモリに保存するステップと
、
外部から無線で送信された上記第１の圧縮率よりも低い第２の圧縮率を有する第２のデ
ータを受信するステップと、
この受信ステップによって受信された上記第２のデータが正常に受信されたかを判定す
るステップと、
この判定ステップによって正常に受信されたと判定されると、上記第２のデータを用い
た再生データを出力し、上記判定ステップによって正常に受信されなかったと判定される
と、上記第１のデータを用いた再生データを出力するステップと、
を有することを特徴とする受信方法。
【請求項３】
無線で接続された外部装置に対してデータを送信する送信手段を有する送信装置において
、
送信するデータから第１の圧縮率を有する第１の送信データと、上記第１の圧縮率より
も低い第２の圧縮率を有する第２の送信データとを生成する生成手段と、
上記送信手段によって、上記生成手段で生成された上記第１の送信データを送信した後
に上記第２の送信データを送信するよう制御する制御手段と、
を有することを特徴とする送信装置。
【請求項４】
無線で接続された外部装置から送信されるデータを受信する受信装置において、
外部から無線で送信された第１の圧縮率を有する第１のデータを受信すると、この受信
された上記第１のデータを保存する記憶手段と、
外部から無線で送信された上記第１の圧縮率よりも低い第２の圧縮率を有する第２のデ
ータを受信すると、この受信された上記第２のデータが正常に受信されたかを判定する判
定手段と、
この判定手段によって正常に受信されたと判定されると、上記第２のデータを用いた再
生データを出力し、上記判定手段によって正常に受信されなかったと判定されると、上記
第１のデータを用いた再生データを出力する出力手段と、
を有することを特徴とする受信装置。
【発明の詳細な説明】
【技術分野】
【０００１】
本発明は、無線通信によりデータ転送の最中に、無線通信の状態が一時的に悪かったと
しても、受信側における再生時のデータ欠如を低減させる送信方法、受信方法、送信装置
及び受信装置に関する。
【背景技術】
【０００２】
近年、無線通信システムを用いて、表示装置に対して動画等の映像データを転送するシ
ステムが普及してきている。しかしながら、データ転送中に無線通信の状態が悪くなると
、その際の転送データは正常に受信されず、その結果、再生／表示に使用することができ
ず、欠落した状態となってしまうという問題があった。
そこで、送信データを一時記憶装置へ保存し、受信装置から応答信号が検知できなかっ
た場合、その部分のデータを未到達データとして判断し、一時記憶装置から大容量の記録
装置へと移し、通信可能状態に復帰すると記録装置に保存している未到達データを再送信
する装置が開発されている（例えば特許文献１参照。）。
【特許文献１】特開２００２−１１２３４１号公報
【発明の開示】
【発明が解決しようとする課題】
【０００３】
しかしながら、従来の装置は、通信可能状態に復帰するまでの未到達データを保存する
ための大容量の記憶装置を保持しなければならず、また通信可能状態に復帰しても、未到
達データを送信する余裕がある場合にのみ未到達データの再送信を行っており、リアルタ
イムに送信すべきデータが存在し、未到達データを送信する余裕がない場合には未到達デ
ータは、本来送信されるべき時間よりもずっと後になって再送信されることとなり、受信
側の装置においては受信できなかった部分を欠落した状態で処理してしまったり、再送信
された時には既に不要となっている可能性が高かった。
【０００４】
本発明は、以上の点に鑑みなされたもので、大容量のデータを保存することなく、受信
側の装置における転送データの無線通信の不良に基づくデータ欠落の発生を抑制すること
が可能な送信方法、受信方法、送信装置及び受信装置を提供することを目的とする。
【課題を解決するための手段】
【０００５】
上記目的を達成するために、本発明の送信方法は、無線で接続された外部装置に対して
データを送信する送信装置における送信方法において、送信するデータに対して第１の圧
縮率を有する第１の送信データを生成するステップと、この生成ステップによって生成さ
れる上記第１の送信データと同じ上記送信するデータに対して上記第１の圧縮率よりも低
い第２の圧縮率を有する第２の送信データを生成するステップと、上記第１の生成ステッ
プで生成された第１の送信データを無線で送信するステップと、この送信ステップによっ
て上記第１の送信データが送信された後に、上記第２の生成ステップで生成された第２の
送信データを無線で送信するステップと、を有することを特徴とする。
【０００６】
上記目的を達成するために、本発明の受信方法は、無線で接続された外部装置から送信
されるデータを受信する受信装置における受信方法おいて、無線で送信された第１の圧縮
率を有する第１のデータを受信するステップと、この受信ステップによって受信された上
記第１のデータをメモリに保存するステップと、外部から無線で送信された上記第１の圧
縮率よりも低い第２の圧縮率を有する第２のデータを受信するステップと、この受信ステ
ップによって受信された上記第２のデータが正常に受信されたかを判定するステップと、
この判定ステップによって正常に受信されたと判定されると、上記第２のデータを用いた
再生データを出力し、上記判定ステップによって正常に受信されなかったと判定されると
、上記第１のデータを用いた再生データを出力するステップと、を有することを特徴とす
る。
【０００７】
上記目的を達成するために、本発明の送信装置は、無線で接続された外部装置に対して
データを送信する送信手段を有する送信装置において、送信するデータから第１の圧縮率
を有する第１の送信データと、上記第１の圧縮率よりも低い第２の圧縮率を有する第２の
送信データとを生成する生成手段と、上記送信手段によって、上記生成手段で生成された
上記第１の送信データを送信した後に上記第２の送信データを送信するよう制御する制御
手段と、を有することを特徴とする。
【０００８】
上記目的を達成するために、本発明の受信装置は、無線で接続された外部装置から送信
されるデータを受信する受信装置において、外部から無線で送信された第１の圧縮率を有
する第１のデータを受信すると、この受信された上記第１のデータを保存する記憶手段と
、外部から無線で送信された上記第１の圧縮率よりも低い第２の圧縮率を有する第２のデ
ータを受信すると、この受信された上記第２のデータが正常に受信されたかを判定する判
定手段と、この判定手段によって正常に受信されたと判定されると、上記第２のデータを
用いた再生データを出力し、上記判定手段によって正常に受信されなかったと判定される
と、上記第１のデータを用いた再生データを出力する出力手段と、を有することを特徴と
する。
【発明の効果】
【０００９】
本発明によれば、大容量のデータを保存することなく、受信側の装置における転送デー
タの無線通信の不良に基づくデータ欠落の発生を抑制することができる。
【発明を実施するための最良の形態】
【００１０】
以下、本発明に係る実施の形態について図面を参照して詳細に説明する。図１は、本発
明の送信装置１０と受信装置２０とからなるシステム構成を示す図である。
【００１１】
図１に示すシステムは、例えばアンテナ等を介して受信した放送番組の映像情報や、Ｄ
ＶＤ等の記録媒体から読み出された高精細動画情報を、無線通信を介して外部装置へ転送
（送信）する送信装置１０と、無線通信にて転送されてきた動画情報を受信して再生する
（あるいは再生動画情報を出力する）受信装置２０とからなる。
【００１２】
送信装置１０は、例えば放送番組を受信する装置やＤＶＤ等の記録媒体から情報を読み
出す読取装置に組み込まれており、データ生成部１１と、無線送受信部１２と、全体を制
御する制御部１４とを有する。尚、放送番組などを受信する装置や読取装置のデータ生成
部１１以前の処理については、公知の技術を用いるため説明を省略する。
【００１３】
データ生成部１１には、受信した放送番組や記憶媒体から読み出された動画情報が入力
される。データ生成部１１は、制御部１４による制御のもと、入力された動画情報に基づ
いて、高い圧縮率（第１の圧縮率）で圧縮処理を施した高圧縮動画情報と、圧縮処理を施
さないあるいは低い圧縮率（第１の圧縮率より低い第２の圧縮率）で圧縮処理を施した基
本動画情報とを後段へ出力する。
【００１４】
無線送受信部１２は、データ生成部１１から出力された高圧縮動画情報と基本動画情報
とを入力し、後述するように、外部の受信装置２０に対して、まず高圧縮動画情報を無線
送信し、次に基本動画情報を無線送信する。また、無線送受信部１２は、外部から送信さ
れた無線信号を受信する。尚、この無線送受信部１２は、例えばＩＥＥＥ８０２．１１ａ
／ＩＥＥＥ８０２．１１ｂ規格に従って無線通信を実行するよう構成された無線通信デバ
イスである。
【００１５】
受信装置２０は、例えば図示せぬ表示装置に組み込まれており、無線送受信部２１と、
データ再生部２２と、全体を制御する制御部２４とを有する。無線送受信部２１は、送信
装置１０から無線通信を介して送られてきた高圧縮動画情報や基本動画情報を受信し、後
段のデータ再生部２２へと出力する。また、無線送受信部２１は、外部へと無線信号を送
信する。
【００１６】
尚、この無線送受信部２１は、例えばＩＥＥＥ８０２．１１ａ／ＩＥＥＥ８０２．１１
ｂ規格に従って無線通信を実行するよう構成された無線通信デバイスである。データ再生
部２２は、その受信状況に基づいて、無線送受信部２１から受信した高圧縮動画情報及び
基本動画情報を用いて、連続した再生動画情報を生成し、後段へと出力する。
【００１７】
図２及び図３は、本発明のデータ転送方法を説明するための概念図である。図２及び図
３において、Ａ、Ｂ、Ｃ、・・・Ｆは基本動画情報を表し、Ａ’、Ｂ’、Ｃ’、・・・Ｆ
’は高圧縮動画情報を表す。Ｔ１及びＴ２はデータ転送中に生じた無線通信障害の発生タ
イミングを示すものであり、この間の転送データは受信装置２０において正常に受信でき
ないこととする。
【００１８】
今、送信装置１０に対して送信すべき連続した動画情報が入力され、送信装置１０内に
て、この連続した動画情報から、Ａ〜Ｆ（あるいはそれ以上）からなる基本動画情報が生
成される。また、送信装置１０内にて、入力された連続した動画情報から、各基本動画情
報Ａ〜Ｆに夫々対応したＡ’〜Ｆ’（あるいはそれ以上）からなる圧縮動画情報が生成さ
れる。
【００１９】
本実施例において、送信装置１０は、図２（ａ）に示すように、ある動画情報を送信す
る場合、その動画情報に対応する基本動画情報を送信するよりも前（先）に、その動画情
報に対応する高圧縮動画情報を無線送信するようになっている。即ち、例えばある動画情
報ａから基本動画情報Ａと高圧縮動画情報Ａ’が生成され、まず高圧縮動画情報Ａ’を受
信装置に対して無線送信し、次に、基本動画情報Ａを送信するようになっている。
【００２０】
そして、受信装置２０は、送信装置１０から送信された基本動画情報及び高圧縮動画情
報に基づく無線信号を受信する。そして、受信装置２０においては、基本的に再生に用い
る転送データは、基本動画情報を用い、基本動画情報を正常に受信できなかった場合に、
この正常に受信できなかった基本動画情報に対応する高圧縮動画情報を再生に用いるよう
になっている。
【００２１】
例えば、図２（ｂ）に示すように、時間Ｔ１及びＴ２で発生した無線通信障害によって
、基本動画情報Ｃ、Ｅと高圧縮動画情報Ｆ’が正常に受信できない結果となる。このよう
な状況において、受信装置２０は、正常受信できなかった基本動画情報Ｃ、Ｅの代わりに
高圧縮動画情報Ｃ’、Ｅ’を再生に用い、高圧縮動画情報Ｆ’については、基本動画情報
Ｆを正常受信しているため、この基本動画情報Ｆを再生に用いるようにする。
【００２２】
したがって、本実施例では、時間Ｔ１、Ｔ２に無線通信障害が発生したとしても、受信
装置２０において連続した動画情報（Ａ→Ｂ→Ｃ’→Ｄ→Ｅ’→Ｆ）を再生することが可
能となる。尚、高圧縮動画情報を再生した動画情報は、基本動画情報を再生した動画情報
より、細部の品質が低下しているが、大部分の情報を伝えることができる。一方、高圧縮
動画情報は、基本動画情報より、データが小さいので、より強力な誤り訂正をかけること
が可能であり、無線障害の発生確率を下げることも可能である。
【００２３】
ここで、図２は、高圧縮動画情報を送信した後、続いて対応する基本動画情報を送信し
ており、無線通信障害が発生する時間によっては、同じ動画情報から生成された基本動画
情報及び高圧縮動画情報の両方が受信装置２０にて受信できないケースが発生する可能性
がる。そこで、図３は、高圧縮動画情報と、その後に送信する対応した基本動画情報との
間にタイムラグを設けている場合を示している。
【００２４】
即ち、送信装置１０は、図３（ａ）に示すように、ある動画情報を送信する場合、その
動画情報に対応する基本動画情報を送信するよりも前（先）に、その動画情報に対応する
高圧縮動画情報を無線送信するようになっている。更に、同じ動画情報に基づいて生成さ
れた基本動画情報と高圧縮動画情報を連続して送信しないようにしている。
【００２５】
例えば、図３（ｂ）に示すように、時間Ｔ１及びＴ２で発生した無線通信障害によって
、基本動画情報Ｂ、Ｄと高圧縮動画情報Ｆ’が正常に受信できない結果となる。このよう
な状況において、受信装置２０は、正常受信できなかった基本動画情報Ｂ、Ｄの代わりに
高圧縮動画情報Ｂ’、Ｄ’を再生に用い、高圧縮動画情報Ｆ’については、基本動画情報
Ｆを正常受信しているため、この基本動画情報Ｆを再生に用いるようにする。
【００２６】
したがって、本実施例では、時間Ｔ１、Ｔ２に無線通信障害が発生したとしても、受信
装置２０において連続した動画情報（Ａ→Ｂ’→Ｃ→Ｄ’→Ｅ→Ｆ）を再生することが可
能となる。尚、高圧縮動画情報を再生した動画情報は、基本動画情報を再生した動画情報
より、細部の品質が低下しているが、大部分の情報を伝えることができる。一方、高圧縮
動画情報は、基本動画情報より、データが小さいので、より強力な誤り訂正をかけること
が可能であり、無線障害の発生確率を下げることも可能である。
【００２７】
この結果、図３に示す送信方法は、データ通信の途中で無線通信の状態が悪くなったと
しても、同じ動画情報から生成された基本動画情報と高圧縮動画情報とが隣接しておらず
、タイムラグを有しているため、受信装置２０側で両方とも受信困難となる可能性をより
低くすることができる。
【００２８】
次に、図４乃至図７を用いて、送信装置１０及び受信装置２０の構成を説明する。図４
は、送信装置１０のデータ生成部１１の構成を概略的に示すブロック図である。図４に示
すデータ生成部１１は、スイッチ部１１０と、入力される動画情報から基本動画情報の信
号を生成するためにフォーマット変換部１１１とスイッチ部１１２を有し、入力された動
画情報から高圧縮動画情報の信号を生成するために圧縮部１１３を有する。
【００２９】
スイッチ部１１０は、入力される動画情報を、基本動画情報を生成するための経路と、
高圧縮動画情報を生成するための経路のいずれかへと切り替えるもので、本実施例では、
制御部１４からの制御信号に基づき、まず高圧縮動画情報を生成するための経路へと切り
替えられており、続いて基本動画情報を生成するための経路へと切り替えられる。フォー
マット変換部１１１は、入力された動画情報のフォーマットを、後段の無線送受信部１２
による無線通信に使用できるフォーマットへと変換するものである。
【００３０】
スイッチ部１１２は、データ生成部１１に入力される動画情報のフォーマットに基づい
た制御部１４からの制御信号を受けてスイッチ切替えを行う。即ち、スイッチ部１１２は
、データ生成部１１に入力される動画情報のフォーマットが無線通信に使用できないもの
であった場合には図４に示すスイッチ位置となるよう制御され、データ生成部１１に入力
される動画情報のフォーマットが無線通信に使用できるものであった場合には図４に示す
スイッチ位置とは逆側に切り替えるよう制御される。
【００３１】
従って、無線通信に使用できるフォーマットで形成された動画情報が入力された場合に
は、スイッチ部１１２は図４とは逆側にスイッチ切り替えられ、入力された状態の動画情
報がそのまま基本動画情報として出力される。また、無線通信に使用できるフォーマット
ではない動画情報が入力された場合には、スイッチ部１１２は図４に示す部分にスイッチ
ングされており、フォーマット変換部１１２によって入力された動画情報のフォーマット
を変換し、このフォーマット変換された動画情報を基本動画情報として出力する。
【００３２】
尚、本実施例では、例えばＤＶＤ等の記録媒体から情報を読み出す場合、２回の再生処
理を行い、スイッチ部１１０の切替制御によって、最初の再生処理で読み出した情報は高
圧縮動画情報を生成するための入力線へ入力し、２度目の再生処理で読み出した情報は基
本動画情報を生成するための入力線へ入力している。したがって、メモリを用いることな
く、同じ動画情報(ソース)からタイミング差のある高圧縮動画信号と基本動画信号が出力
されることとなる。
【００３３】
この変形例として、データ生成部１１のスイッチ部１１０前段に、図示せぬメモリを追
加することにより、放送番組などの２度再生不可能な動画情報に対しても、同じ動画情報
(ソース)からタイミング差のある高圧縮動画信号と基本動画信号が出力されることとなる
。
【００３４】
図５は、送信装置１０の無線送受信部１２の構成を概略的に示すブロック図である。尚
、無線送受信装置１２に入力される情報に対して、無線送信するために施される処理は基
本的に決まっている。即ち、まず符号化／変調することにより伝送に適した信号に変換し
、多重化してＲＦ部を通ってアンテナを介して送信することとなる。本実施例では、無線
送受信部１２には、高圧縮動画情報及び基本動画情報が入力されるため、変形例を含め３
つの構成を説明する。図５（ａ）〜（ｃ）の各構成において、同じ構成については説明を
省略する。
【００３５】
図５（ａ）に示す無線送受信部１２においては、入力された基本動画情報は、符号化部
１２１にて符号化され、次に変調部１２３にて変調が施される。また、入力された高圧縮
動画情報は、符号化部１２２にて符号化され、次に変調部１２４にて変調が施される。変
調部１２３から出力される変調信号と変調部１２４から出力される変調信号は、多重化回
路１２５に入力され、それぞれ多重化され、ＲＦ部１２９にて無線状態に変換してアンテ
ナを介して外部へ無線送信される。
【００３６】
図５（ａ）に示す無線送受信部１２の構成においては、符号化を行う回路と変調を行う
回路は高圧縮動画情報と基本動画情報とで別々（個々）に設けている。しかし、高圧縮動
画情報と基本動画情報とはタイミングに差を持たせて入力されるため、多重化回路１２５
以降の処理においては単一の回路にて両方の信号を処理するよう構成されている。
【００３７】
次に、図５（ｂ）に示す無線送受信部１２においては、入力された基本動画情報は符号
化部１２１にて符号化され、入力された高圧縮動画情報は符号化部１２２にて符号化され
、単一の多重化回路１２５に入力され、それぞれ多重化される。次に、変調部１２８にて
順次入力された信号が変調され、ＲＦ部１２９にて無線状態に変換してアンテナを介して
外部へ無線送信される。
【００３８】
図５（ｂ）に示す無線送受信部１２の構成においては、符号化を行う回路は高圧縮動画
情報と基本動画情報とで別々（個々）に設け、それ以降の処理は単一の回路で両方の信号
を処理する構成である。
【００３９】
次に、図５（ｃ）に示す無線送受信部１２においては、入力された基本動画情報は、符
号化部１２１にて符号化され、入力された高圧縮動画情報は符号化部１２２にて符号化さ
れ、単一の多重化回路１２５に入力され、多重化が施される。次に、再度単一の符号化部
１２７にて順次入力される信号が符号化され、変調部１２８にて変調され、ＲＦ部１２９
にて無線状態に変換してアンテナを介して外部へ無線送信される。
【００４０】
図５（ｃ）に示す無線送受信部１２の構成においては、符号化を行う回路は高圧縮動画
情報と基本動画情報とで別々（個々）に設け、図３（ｂ）の構成と比較すると、その後、
単一の符号化回路をさらに設け、符号化を施した後、単一の変調部１２８、ＲＦ部１２９
にて更に両方の信号を処理するよう構成されている。
【００４１】
図６は、受信装置２０の無線送受信部２１の構成を概略的に示すブロック図である。尚
、無線送受信部２１は、送信装置１０の無線送受信部１２の構成について図３を用いて説
明したように、様々な構成が考えられるが、結果的にアンテナを介して受信した無線信号
から高圧縮動画情報と基本動画情報とを得る処理が行われる点では同様である。本実施例
では、図５（ａ）に対応した無線送受信部２１の構成について説明する。
【００４２】
図６に示す無線送受信部２１は、アンテナを介して外部からの送信される電波を受信す
ると、ＲＦ部２１１にて周波数変換し、多重分離回路２１２にて多重化された信号を分離
する。ここで、受信した信号が基本動画情報に関する信号である場合には、復調部２１３
にて復調処理を施し、復号化部２１５にて復号化して、後段へと基本動画情報を出力する
。受信した信号が高圧縮動画情報に関する場合には、復調部２１４にて復調処理を施し、
復号化部２１６にて復号化する。
【００４３】
この高圧縮動画情報に関する信号を処理する復号化部２１６においては、基本動画情報
に関する信号を処理する復号化部２１５と比較すると、さらにバッファ２１７が設けられ
ている。そのため、復号化部２１６は入力された復調信号に復号化処理を施し、得られた
高圧縮動画情報をバッファ２１７に保存する。尚、本実施例では、高圧縮動画情報をバッ
ファ２１７で保存するため、基本動画情報を保存するよりも少ないバッファ２１７の容量
を設ければよい。
【００４４】
そして、制御部２４は、この無線送受信部２１における基本動作情報の一連の受信処理
状況に基づき、基本動画情報が正常に受信されなかった場合に、復号化部２１６に対して
制御信号を出力し、バッファ２１７から正常に受信されなかった基本動画情報に対応する
高圧縮動画情報を読み出すよう指示する。
【００４５】
復号化部２１６は、バッファ２１７に保存している高圧縮動画情報に対応した基本動画
情報が正常に受信されなかった際に、制御部２４からの制御信号に基づいて、バッファ２
１７から高圧縮動画情報を読み出し、後段へと出力する。
【００４６】
図７は、受信装置２０のデータ再生部２２の構成を概略的に示すブロック図である。構
成を概略的に示すブロック図である。図７に示すデータ再生部２２において、無線送受信
部２１から出力された基本動画情報を再生処理するためのフォーマット変換部２２１とス
イッチ部２２２を有し、無線送受信部２１から出力された高圧縮動画情報を再生処理する
ために再生部２２３を有する。
【００４７】
フォーマット変換部２２１は、入力された基本動画情報のフォーマットを変換するもの
である。スイッチ部２２２は、基本動画情報のフォーマットに基づいて、制御部24からの
制御信号によりスイッチ切り替えが行われる。このフォーマット変換部２２１及びスイッ
チ部２２２から出力された動画再生信号は、後段に接続された選択部２２４へと出力され
る。再生部２２３は、高圧縮動画情報が入力され、伸張処理を施し、再生動画信号を出力
する。再生部２２３から出力された再生動画信号は、後段に接続された選択部２２４へと
出力される。
【００４８】
選択部２２４は、制御部２４からの制御信号に基づき、基本動画情報に基づく再生動画
信号か、高圧縮動画情報に基づく再生動画信号のいずれかを選択して後段へ出力する。具
体的には、基本動画情報が正常に受信されたと判断された場合には、選択部２２４は基本
動画情報に基づく再生動画信号を選択して出力し、基本動画情報が正常に受信されなかっ
たと判断された場合には、選択部２２４は高圧縮動画情報に基づく再生動画信号を選択し
て出力する。
【００４９】
図８は、送信装置１０から受信装置２０へ動画情報を無線通信でデータ転送する処理の
流れを示すフローチャート図である。
【００５０】
図８に示すように、まず送信装置１０において、まず動画情報が入力されると、制御部
１４は、データ生成部１１の圧縮部１１３にて入力された動画情報に対して圧縮処理を施
し（ステップＳＴ１１）、無線送受信部１２を介して受信装置２０へ無線送信する(ステ
ップＳＴ１２)。
【００５１】
引き続き、制御部１４は、データ生成部１１において入力された動画情報に対してフォ
ーマット変換が必要な場合にはスイッチ部１１２を制御してフォーマット変換部１１１を
介し、フォーマット変換が不要な場合にはスイッチ部１１２を制御してフォーマット変換
することなく、基本動画情報を生成し、無線送受信部１２を介して受信装置２０へ無線送
信する(ステップＳＴ１３)。そして、制御部１４は、送信すべき動画情報を全て送信終了
するまでＳＴ１１乃至ＳＴ１３の処理を繰り返し実行する（ステップＳＴ１４）。
【００５２】
一方、受信装置２０においては、無線信号を受信し（ステップＳＴ２１）、高圧縮動画
情報に関する無線信号を受信したならば（ステップＳＴ２２のＹｅｓ）、復調部２１４及
び復号化部２１７にて処理され、バッファ２１７に保存する（ステップＳＴ２３）。また
受信装置２０は、基本動画情報に関する無線信号を受信したならば（ステップＳＴ２２の
Ｎｏ）、次に基本動画情報は正常に受信されたかを判断する(ステップＳＴ２４)。
【００５３】
ＳＴ２４で正常に受信されたと判断されると（ステップＳＴ２４のＹｅｓ）、制御部２
４から基本動画情報を再生する旨の制御信号が出力される。そして、この制御信号に基づ
いてデータ再生部２２の選択部２２４は、基本動画情報を再生動画情報として出力する（
ステップＳＴ２５）。
【００５４】
ＳＴ２４で正常に受信できなかったと判断されると（ステップＳＴ２４のＮｏ）、制御
部２４から高圧縮動画情報を再生する旨の制御信号が出力される。そして、この制御信号
に基づいて無線送受信部２１の復号化部２１６は、バッファ２１７から該当する高圧縮動
画情報を読み出し、データ再生部２２へと出力する。データ再生部２２は、再生部２２３
にて入力された高圧縮動画情報を伸張処理し、選択部224によって伸張処理された高圧縮
動画情報を再生動画情報として出力する（ステップＳＴ２６）。
【００５５】
上述したように、本実施例では、送信装置１０において、同じ動画情報から圧縮処理し
た高圧縮動画情報と、圧縮処理を施さない基本動画情報とを生成し、高圧縮動画情報を無
線送信した後に、同じ動画情報から生成された基本動画情報を無線送信している。また、
受信装置２０においては、基本動画情報に先駆けて送信されてくる高圧縮動画情報を保存
しておき、後で受信されるる縮縮う２２４は、図示せぬれたの受信装置１と記録装置２の
設置位置基本動画情報が正常に受信されなかった場合には、先に保存し
ておいた高圧縮動画情報を再生している。
【００５６】
これにより、高圧縮動画情報を先に送信することで、基本動画情報を保存しておくより
も小さい容量のデータ保存ですみ、受信側の装置における転送データの無線通信の不良に
基づくデータ欠落の発生を抑制することができる。また、高圧縮動画情報は、基本動画情
報よりデータが小さいので、より強力な誤り訂正をかけることが可能であり、無線障害の
発生確率を下げることも可能である。
【図面の簡単な説明】
【００５７】
【図１】本発明の実施形態における送信装置１０及び受信装置２０を用いたシステム構成を示す図。
【図２】データ転送方法を説明するための図。
【図３】データ転送方法の変形例を説明するための図。
【図４】送信装置１０のデータ生成部１１の構成を示すブロック図。
【図５】送信装置１０の無線送受信部１２の構成を示すブロック図。
【図６】受信装置２０の無線送受信部２１の構成を示すブロック図。
【図７】受信装置２０のデータ再生部２２の構成を示すブロック図。
【図８】送信装置１０から受信装置２０へのデータ転送処理の流れを示すフローチャート図。
【符号の説明】
【００５８】
１０    送信装置
１１    データ生成部
１４、２４    制御部
１２、２１    無線送受信部
２０    受信装置
２２    データ再生部
１１１、２２１    フォーマット変換部
１１２、２２２    スイッチ部
１１３    圧縮部
１２１、１２２、１２７    符号化部
１２３、１２４、１２８    変調部
１２５    多重化回路
１２９、２１１    ＲＦ部
２１２    多重分離回路
２１３、２１４    復調部
２１５，２１６    復号化部
２１７    バッファ
２２３    再生部
２２４    選択部
【図１】
2005110043.tif 000003
【図２】
2005110043.tif 000004
【図３】
2005110043.tif 000005
【図４】
2005110043.tif 000006
【図５】
2005110043.tif 000007
【図６】
2005110043.tif 000008
【図７】
2005110043.tif 000009
【図８】
2005110043.tif 000010